(57)【要約】      （修正有）【課題】被係止部を回路基板の係止用孔に挿通することにより表示部を容易且つ確実に回路基板に固定することができると共に、被係止部の挿通された係止用孔を通って虫等が表示部側に移動するのを防止することができる表示機器、及びこれを備えた車載用表示装置を提供する。【解決手段】表示パネル１５裏側の空間Ｓを仕切る回路基板２２と、回路基板２２の面２３ａ上で表示部２４を保持する固定部材とを備え、固定部材は、回路基板２２に密接可能な接触面３５を有する固定部材本体３１と、固定部材本体３１から突出し、突出部分が回路基板２２の係止用孔２５よりも小さい断面形状を有して係止用孔２５に対して挿通されることで接触面３５が回路基板２２に密接状態で係止される被係止部３２とを有し、接触面３５は係止用孔２５を少なくとも外側から囲む形状を有する。【選択図】図１
2010234956.tif 000002
【特許請求の範囲】
【請求項１】
表示パネルの裏側の空間を前後に仕切るように設けられる回路基板と、この回路基板の前側面上に固定された状態で表示部を保持する固定部材とを備えた表示機器であって、
前記回路基板はこれを板厚方向に貫通する係止用孔を有し、
前記固定部材は、前記回路基板の前側面に密接可能な接触面を有する固定部材本体と、この固定部材本体からその接触面よりも前記回路基板側に突出し、その突出部分が前記係止用孔よりも小さい断面形状を有して前記係止用孔に対して前側から挿通されることにより、前記接触面が前記回路基板の前側面に密接する状態で前記回路基板に係止される被係止部とを有し、
前記接触面は、前記回路基板の係止用孔を少なくとも外側から囲む形状を有することを特徴とする表示機器。
【請求項２】
請求項１記載の表示機器において、
前記被係止部は前記固定部材本体の複数の箇所からそれぞれ突出し、
前記係止用孔は前記各被係止部にそれぞれ対応する位置に設けられ、
前記固定部材本体の接触面は、全ての係止用孔を少なくとも外側から囲む形状を有することを特徴とする表示機器。
【請求項３】
請求項２記載の表示機器において、
前記固定部材本体の接触面は、全ての係止用孔を内包するようにこれらの係止用孔の外側を周回する形状を有することを特徴とする表示機器。
【請求項４】
請求項３記載の表示機器において、
前記固定部材本体は、前記表示部を保持しながら前記回路基板と略平行な姿勢で配置される保持部と、この保持部の周縁に沿って延び、当該保持部から前記回路基板側に向かって突出する周壁とを有し、前記各被係止部は前記周壁よりも内側の位置で前記保持部から突出し、当該周壁の端面が前記接触面を構成することを特徴とする表示機器。
【請求項５】
請求項１乃至４のいずれか１項に記載の表示機器において、
前記被係止部は、前記固定部材本体から前記回路基板側に突出し、その先端部が当該回路基板と平行な方向に弾性的に撓み変位可能な撓み片と、この撓み片の先端から前記回路基板と平行な方向に突出し、当該撓み片が弾性復帰した状態で前記回路基板の裏面に当接することにより当該回路基板に係止される被係止突起とを有することを特徴とする表示機器。
【請求項６】
車両に搭載される表示装置であって、
前記表示パネルを有する前面カバーと、
請求項１〜５のいずれか１項に記載の表示機器とを備え、
前記表示機器の回路基板は、前記固定部材が前記表示パネル側を向く姿勢で、前記前面カバーにおける表示パネルの裏側の空間を密閉するように当該前面カバーに取付けられることを特徴とする車載用表示装置。
【発明の詳細な説明】
【技術分野】
【０００１】
本発明は、車載用表示装置等の内部で表示部を保持する表示機器、及びこれを備えた車載用表示装置に関する。
【背景技術】
【０００２】
表示部が搭載された車載用表示装置としては、特許文献１に記載のものが知られている。この車載用表示装置１００は、図８に示されるように、例えばＬＣＤのような表示部１０２と、この表示部１０２が固定される回路基板１０４と、回路基板１０４の前面側を囲い、回路基板１０４に固定された表示部１０２の表示面１０２ａと対応する位置に開口部１０６が設けられた前面カバー１０８とを備える。この前面カバー１０８の開口部１０６には、表示面１０２ａの表示を車載用表示装置１００の外部から視認できるように透明なパネル部材１０７が嵌め込まれている。
【０００３】
前記のような車載用表示装置１００では、表示部１０２が固定部材（ホルダー）１１０を用いて回路基板１０４に固定される場合がある。この表示部１０２を回路基板１０４に固定するための固定部材１１０として、具体的には図９乃至図１０（ｂ）に示すものがある。この固定部材１１０は、表示部１０２を保持する固定部材本体１１２と、この固定部材本体１１２から表示部１０２が保持されている部位と反対側に向って延びる複数の被係止部１１４と、を備える。各被係止部１１４は、延びる方向に対して直交する方向に撓み変形することが可能な自由端部１１４ａと、この自由端部１１４ａから撓み方向と反対側に突出する被係止突起１１４ｂとを有する。
【０００４】
この固定部材１１０を用いて表示部１０２を回路基板１０４に取り付けるときは、固定部材本体１１２に表示部１０２を保持させ、回路基板１０４に設けられた係止用孔１０４ａに各被係止部１１４が挿通されるように回路基板１０４の前面側から背面側に向けて固定部材本体１１２を回路基板１０４に押し付ける。このとき、被係止突起１１４ｂが係止用孔１０４ａを囲む孔周縁部に当接して自由端部１１４ａが撓み変形することにより、被係止突起１１４ｂが係止用孔１０４ａを通過し、通過後に自由端部１１４ａが正規の位置に弾性復帰する。この自由端部１１４ａの弾性復帰により各被係止突起１１４ｂが回路基板１０４の前記孔周縁部に回路基板１０４の背面側で係止され、これにより固定部材１１０が回路基板１０４に係止され、その結果、当該固定部材１１０を介して表示部１０２が回路基板１０４に固定される。
【０００５】
このような固定部材１１０を用いることにより、表示部１０２を回路基板１０４に容易且つ確実に固定することができる。
【先行技術文献】
【特許文献】
【０００６】
【特許文献１】特開２００３−１６３４６８号公報
【発明の概要】
【発明が解決しようとする課題】
【０００７】
前記の車載用表示装置１００では、回路基板１０４の前面側を前面カバー１０８で囲むことにより虫やゴミが回路基板１０４と前面カバー１０８との間に入り込まないように構成されている。これは、回路基板１０４と前面カバー１０８との間に虫等が侵入し、この虫等が表示部１０２の表示面１０２ａと前面カバー１０８のパネル部材１０７との間に入り込み、表示面１０２ａの表示がパネル部材１０７を通して外部から見難くなることを防止するためである。
【０００８】
しかし、表示部１０２が前記の固定部材１１０によって回路基板１０４に固定された車載用表示装置１００では、回路基板１０４に設けられた係止用孔１０４ａを囲む孔周縁部と固定部材１１０の被係止部１１４との間に隙間ｓが生じるため（図１０（ａ）参照）、この隙間ｓを通って回路基板１０４の背面側から前面側に虫等が入り込む場合があった。この隙間ｓは、自由端部１１４ａが撓み変形した状態の被係止部１１４の通過を許容すると共に被係止突起１１４ｂが通過後に自由端部１１４ａの正規の位置への弾性復帰を許容するため、係止用孔１０４ａが自由端部１１４ａの撓み方向に所定の内径を有することによって生じる。
【０００９】
そこで、前記の固定部材１１０を用いた車載用表示装置１００では、図１１（ａ）及び図１１（ｂ）に示されるように、表示部１０２と透明なパネル部材１０７との間に虫等が入り込むのを防止するための密閉部材１１６が表示部１０２の表示面１０２ａの周囲に設けられた。この密閉部材１１６は、図１２に示されるように、表示部１０２の表示面１０２ａを囲うように表示部１０２とパネル部材１０７と間を密閉する。これにより表示部１０２とパネル部材１０７と密閉部材１１６とで囲まれた領域内に虫等が入り込むのが阻止され、外部から表示部１０２の表示内容が見難くなることを防止していた。
【００１０】
しかし、このような密閉部材１１６を用いた車載用表示装置１００の製造・組立では、密閉部材１１６を用意しておく必要があり、また、密閉部材１１６を配設するための工程も必要となるため、密閉部材１１６を用いずに製造する場合よりもコストが高くつく。
【００１１】
そこで、本発明は、上記問題点に鑑み、被係止部を回路基板の係止用孔に挿通することにより表示部を容易且つ確実に回路基板に固定することができると共に、被係止部の挿通された係止用孔を通って虫等が表示部側に移動するのを防止することができる表示機器、及びこれを備えた車載用表示装置を提供することを課題とする。
【課題を解決するための手段】
【００１２】
そこで、上記課題を解消すべく、本発明は、表示パネルの裏側の空間を前後に仕切るように設けられる回路基板と、この回路基板の前側面上に固定された状態で表示部を保持する固定部材とを備えた表示機器であって、前記回路基板はこれを板厚方向に貫通する係止用孔を有し、前記固定部材は、前記回路基板の前側面に密接可能な接触面を有する固定部材本体と、この固定部材本体からその接触面よりも前記回路基板側に突出し、その突出部分が前記係止用孔よりも小さい断面形状を有して前記係止用孔に対して前側から挿通されることにより、前記接触面が前記回路基板の前側面に密接する状態で前記回路基板に係止される被係止部とを有し、前記接触面は、前記回路基板の係止用孔を少なくとも外側から囲む形状を有することを特徴とする。
【００１３】
このように固定部材本体が、回路基板の係止用孔を少なくとも外側から囲む形状を有し且つ回路基板の前側面に密着する接触面を有することにより、被係止部とこの被係止部が挿通された係止用孔を囲む回路基板の孔周縁部との隙間を通って回路基板の裏側から前側に侵入した虫等が表示パネルと回路基板に固定された固定部材との間に入り込むことを防止することができる。
【００１４】
即ち、被係止部の係止用孔への挿通部分が当該係止用孔よりも小さい断面形状を有していることから、被係止部と前記係止用孔の周縁部との間に隙間が生じるが、仮にこの隙間を通って回路基板の裏側から前側に虫等が侵入したとしても、その係止用孔の外側で固定部材本体の接触面が回路基板の前側面と密着しているので、前記虫等は固定部材本体の外側には出ることができず、従って表面パネルと固定部材との間に入り込むことができない。
【００１５】
本発明に係る表示用電子部品固定部材においては、前記被係止部は前記固定部材本体の複数の箇所からそれぞれ突出し、前記係止用孔は前記各被係止部にそれぞれ対応する位置に設けられ、前記固定部材本体の接触面は、全ての係止用孔を少なくとも外側から囲む形状を有するのが好ましい。
【００１６】
かかる構成によれば、固定部材本体が複数箇所で回路基板に係止されるため、当該固定部材本体が回路基板に対して安定して固定され、これにより表示部を回路基板に安定して固定することができる。しかも、前記複数の被係止部に対応する複数の係止用孔が回路基板に設けられても、固定部材本体の接触面が全ての係止用孔を少なくとも外側から囲む形状を有することにより、被係止部と前記係止用孔の周縁部との各隙間の何れかから虫等が回路基板の前側の領域に侵入しても固定部材本体の外側には出ることができず、従って表示パネルと固定部材との間に前記虫等が入り込むことができない。
【００１７】
前記のように複数の被係止部が固定部材本体から突出する場合、前記固定部材本体の接触面は、全ての係止用孔を内包するようにこれらの係止用孔の外側を周回する形状を有するのがより好ましい。このように固定部材本体の接触面が全ての係止用孔を内包するようにこれらの係止用孔の外側を周回する形状を有することにより、接触面が係止用孔を個別に外側から囲む構成に比べて固定部材本体の構成を簡素化しながら、前記虫等の侵入路を断つことが可能となる。
【００１８】
さらに、前記固定部材本体は、前記表示部を保持しながら前記回路基板と略平行な姿勢で配置される保持部と、この保持部の周縁に沿って延び、当該保持部から前記回路基板側に向かって突出する周壁とを有し、前記各被係止部は前記周壁よりも内側の位置で前記保持部から突出し、当該周壁の端面が前記接触面を構成するのがより好ましい。
【００１９】
このように回路基板と略平行な姿勢の保持部が、その周縁に沿って延び、当該保持部から回路基板側に向かって突出する周壁の端面、即ち接触面を回路基板の前側面に密接させた状態で当該回路基板に固定されることにより、固定部材本体が回路基板に対してより安定して固定される。
【００２０】
前記被係止部は、前記固定部材本体から前記回路基板側に突出し、その先端部が当該回路基板と平行な方向に弾性的に撓み変位可能な撓み片と、この撓み片の先端から前記回路基板と平行な方向に突出し、当該撓み片が弾性復帰した状態で前記回路基板の裏面に当接することにより当該回路基板に係止される被係止突起とを有するのが好ましい。
【００２１】
撓み片の撓みのためにその外側面と係止用孔の内側面との間に十分な隙間を確保しながらも、この隙間を通しての虫等の侵入を上述の構成により防止できる。
【００２２】
また、上記課題を解消すべく、本発明は、車両に搭載される表示装置であって、前記表示パネルを有する前面カバーと、前記のいずれかの表示機器とを備え、前記表示機器の回路基板は、前記固定部材が前記表示パネル側を向く姿勢で、前記前面カバーにおける表示パネルの裏側の空間を密閉するように当該前面カバーに取付けられることを特徴とする。
【００２３】
かかる構成によれば、回路基板の裏側の空間に侵入した虫等が表示パネルと固定部材との間に入り込むことが、回路基板が表示パネルの裏側の空間を密閉することと、固定部材本体が回路基板の係止用孔を少なくとも外側から囲む形状を有し且つ回路基板の前側面に密着する接触面を有することとによって防止される。
【００２４】
具体的に、表示パネルの裏側の空間は巨視的には回路基板により密閉される。但し、この回路基板に生じる被係止部とこの被係止部が挿通された係止用孔を囲む回路基板の孔周縁部との間に隙間が残るため、この隙間が回路基板の裏側から表側への前記虫等の移動を許容する。しかし、前記固定部材本体の接触面が回路基板の前側面に密着することにより、前記隙間を通って回路基板の前側の領域、即ち表示パネルの裏側の空間に侵入した虫等が当該固定部材本体の外側へ移動することを阻止する。その結果、前記虫等が表示パネルと固定部材との間に入り込むのを防止することができる。
【発明の効果】
【００２５】
以上より、本発明によれば、被係止部を回路基板の係止用孔に挿通することにより表示部を容易且つ確実に回路基板に固定することができると共に、被係止部の挿通された係止用孔を通って虫等が表示部に移動するのを防止することができる表示機器、及びこれを備えた車載用表示装置を提供することができる。
【図面の簡単な説明】
【００２６】
【図１】本実施形態に係る車載用表示装置における固定部材の被係止部を通る位置での縦端面図である。
【図２】前記車載用表示装置の固定部材の正面側の斜視図である。
【図３】前記固定部材の背面側の斜視図である。
【図４】図１のＡ−Ａ位置の断面図である。
【図５】前記車載用表示装置の回路基板であって、（ａ）は一部拡大正面図であり、（ｂ）は図５（ａ）のＢ−Ｂ位置の端面図である。
【図６】図５の回路基板に前記固定部材を固定した状態であって、（ａ）は一部拡大正面図であり、（ｂ）は図６（ａ）のＣ−Ｃ位置の端面図である。
【図７】図６の固定部材に表示部を保持させた状態における図６（ａ）のＣ−Ｃ位置での端面図である。
【図８】従来の車載用表示装置の分解斜視図である。
【図９】従来の表示機器であって、表示部が固定された状態の一部拡大斜視図である。
【図１０】前記従来の表示機器であって、（ａ）は表示部が固定された状態の一部拡大正面図であり、（ｂ）は図１０（ａ）のＤ−Ｄ位置の端面図である。
【図１１】前記従来の表示機器であって、（ａ）は密閉部材が配設された状態の一部拡大正面図であり、（ｂ）は図１１（ａ）のＥ−Ｅ位置の端面図である。
【図１２】図１１（ｂ）に示す表示機器にパネル部材を有する前面カバーを配設した状態を示す図である。
【発明を実施するための形態】
【００２７】
以下、本発明の一実施形態について、添付図面を参照しつつ説明する。
【００２８】
図１乃至図４に示されるように、本実施形態に係る車載用表示装置１０は、本体ケース１２と、この本体ケース１２の内部に配設される表示機器２０と、を備える。本体ケース１２は、前面カバー部１３と後カバー部１４とからなり、内部に表示機器２０等を収容する内部空間Ｓを囲む。前面カバー部１３は、表示機器２０の表示部２４が表示する表示内容を当該前面カバー部１３の外部から視認することができる窓部を有する。この窓部は、前面カバー部１３において表示部２４と対応する位置に設けられた開口１３ａを透明な表示パネル（パネル部材）１５が塞ぐことにより構成される。
【００２９】
表示機器２０は、回路基板２２と、表示部２４と、回路基板２２に表示部２４を固定するためのホルダー（固定部材）３０とを備える。回路基板２２は、平板状の基板であり、表示パネル１５の裏側の空間、即ち、本体ケース１２の内部空間Ｓを前後に仕切るように本体ケース１２内に設けられる（図１参照）。詳しくは、回路基板２２は、表示パネル１５の裏側の空間Ｓ１を密閉するように、前面カバー部１３に取り付けられる。
【００３０】
この回路基板２２には、表示部２４を含め複数の電子部品が実装されており、表示部２４は、ホルダー３０によって当該回路基板２２に固定されている。具体的に、回路基板２２は、その板厚方向に貫通する係止用孔２５を有する。この係止用孔２５は、ホルダー３０の被係止部３２に対応する位置に設けられている（図３及び図５参照）。本実施形態では、ホルダー３０に４つの被係止部３２が設けられているため、回路基板２２には４つの係止用孔２５が設けられている。
【００３１】
表示部２４は、各種情報を表示画面２４ａに表示する電子部品であり、本実施形態では、ＬＣＤ（Liquid Crystal Display：液晶ディスプレイ）が用いられる。
【００３２】
ホルダー３０は、回路基板２２の前側面２３ａ上に固定された状態でＬＣＤ２４を保持する部材であり、ＬＣＤ２４を保持するホルダー本体３１と、このホルダー本体３１から突出する被係止部３２とを有する。ホルダー本体３１は、ＬＣＤ２４を保持しながら回路基板２２と略平行姿勢で配置される保持部３３と、この保持部３３の周縁に沿って延び、当該保持部３３から回路基板２２側に向って突出する周壁３４とを有する。この周壁３４の端面が回路基板２２の前側面２３ａに密接可能な接触面３５を構成する。周壁３４は、その端面である接触面３５が回路基板２２の全ての係止用孔２５を内包するようにこれらの係止用孔２５の外側を周回するように回路基板２２の前側面２３ａに密接するような形状を有する（図３、図５（ａ）、図６（ａ）及び図６（ｂ）参照）。
【００３３】
保持部３３は、ＬＣＤ２４を保持する部位であり、回路基板２２に沿って拡がる底部３３ａ（図１参照）と、この底部３３ａの上下端部において周縁に沿って延び、底部３３ａから回路基板２２と反対方向に突出する支持部３３ｂと、底部３３ａの両側部において支持部３３ｂよりも回路基板２２と反対方向に突出する挟持部３３ｃとを有する。底部３３ａは、ＬＣＤ２４の周縁形状に沿った輪郭を有する。即ち、底部３３ａは、回路基板２２の前側面２３ａの側から見て矩形状の輪郭を有する。支持部３３ｂは、その先端面でＬＣＤ２４の上下の周縁部を裏側から支える（図１及び図７参照）。挟持部３３ｃは、前側から見て幅方向両側からＬＣＤ２４を両側から挟むようにして保持する。
【００３４】
被係止部３２は、ホルダー本体３１から周壁３４の端面（接触面３５）よりも回路基板２２側に突出している。この被係止部３２の突出部分は、係止用孔２５よりも小さい断面形状を有して係止用孔２５に対して前側から挿通されることにより、接触面３５が回路基板２２の前側面２３ａに密接する状態で回路基板２２に係止される（図１及び図６（ｂ）参照）。この被係止部３２は、周壁３４よりも内側の位置で保持部３３の複数の箇所からそれぞれ突出している。本実施形態では、４つの被係止部３２が、保持部３３の上端部と下端部とにおける両側部からそれぞれ突出している。
【００３５】
各被係止部３２は、ホルダー本体３１、詳細には、保持部３３の底部３３ａから回路基板２２側に突出し、その先端部が回路基板と平行な方向に弾性的に撓み変位可能な撓み片３７と、この撓み片３７の先端から回路基板２２と平行な方向に突出し、当該撓み片３７が弾性復帰した状態で回路基板２２の裏面２３ｂに当接することにより当該回路基板２２に係止される被係止突起３８とを有する。
【００３６】
具体的に、撓み片３７は、保持部３３から延びる板状の部位であり、先端部がその厚み方向に弾性的に撓み変位可能に構成され、被係止突起３８は、板状の撓み片３７の厚み方向に突出している。本実施形態では、図１において、撓み片３７がその先端部を上下方向に弾性的に撓み変位可能に構成され、保持部３３の前記上端部及び下端部に配設された各撓み片３７から互いに接近する方向に被係止突起３８が突出している。
【００３７】
ホルダー本体３１からは、位置決め突起４０も突出している。この位置決め突起４０は、ホルダー本体３１を回路基板２２に取り付けるときに回路基板２２に対するホルダー本体３１の位置決めに用いられる部位である。この位置決め突起４０は、保持部３３から回路基板２２方向に真っ直ぐ延びる棒状の部位であり、その先端部が接触面３５よりも回路基板２２側に突出している。この位置決め突起４０は、回路基板２２の対応する位置に設けられた当該回路基板２２の厚み方向に貫通する位置決め用孔２６（図５（ａ）参照）に前記先端部が挿通される。
【００３８】
車載用表示装置１０は以上のように構成される。次に、回路基板２２へのＬＣＤ２４の固定について図５（ａ）乃至図７を参照しつつ説明する。
【００３９】
先ず、回路基板２２にホルダー３０が固定される（図５（ａ）乃至図６（ｂ）参照）。このとき、ホルダー本体３１を回路基板２２の前側面２３ａに押し付けるようにして、各被係止部３２を回路基板２２の係止用孔２５に挿通すると共に位置決め突起４０を位置決め用孔２６に挿通する。このように被係止部３２だけでなく、撓み変位しない位置決め突起４０が回路基板２２に設けられた位置決め用孔２６に挿通されることにより、回路基板２２の前側面に対して直交する方向に真っ直ぐにホルダー本体３１がガイドされる。
【００４０】
各被係止部３２は、被係止突起３８が係止用孔２５を囲む孔周縁部に当接することにより、撓み片３７の先端部が被係止突起３８の突出方向と反対側に移動するように撓み片３７が撓み変位する。さらにホルダー本体３１を回路基板２２の前側面２３ａに向けて押し付けると、係止用孔２５を被係止部３２の被係止突起３８が通過し、この通過により撓み片３７が弾性復帰する。これにより、図６（ｂ）に示すように被係止突起３８が回路基板２２の裏面２３ｂと当接し、その結果、ホルダー３０が回路基板２２に固定される。このとき、各被係止部３２が挿通された全ての係止用孔２５を内包するようにこれらの係止用孔２５の外側を周回するように接触面３５が回路基板２２の前側面に密接する。
【００４１】
この状態で、ＬＣＤ２４をホルダー本体３１の保持部３３に保持させる（図７参照）。このようにＬＣＤ２４が固定された回路基板２２（即ち、表示機器２０）は、車載用表示装置１０を構成するために本体ケース１２に配設されるときに、当該回路基板２２に取り付けられたホルダー３０が表示パネル１５側を向く姿勢で、前面カバー部１３における表示パネル１５の裏側の空間Ｓ１を密閉するように前面カバー部１３に取り付けられる（図１参照）。
【００４２】
以上のような回路基板２２（表示機器２０）が配設された車載用表示装置１０では、回路基板２２の裏側の空間Ｓ２に侵入した虫等が表示パネル１５とＬＣＤ２４の表示画面２４ａとの間に入り込むことが、１）回路基板２２が表示パネル１５の裏側の空間Ｓ１を密閉することと、２）ホルダー本体３１が回路基板２２の係止用孔２５を少なくとも外側から囲む形状を有し且つ回路基板２２の前側面２３ａに密着する接触面３５を有することとによって防止される。
【００４３】
具体的に、表示パネル１５の裏側の空間Ｓ１は巨視的には回路基板２２により密閉される。しかし、この回路基板２２に生じる被係止部３２とこの被係止部３２が挿通された係止用孔２５を囲む回路基板２２の孔周縁部との間に隙間が残るため、この隙間が回路基板２２の裏側から表側への前記虫等の移動を許容する。しかし、前記ホルダー本体３１の前記接触面３５が回路基板２２の前側面２３ａに密着することにより、前記隙間を通って回路基板２２の前側の領域、即ち表示パネル１５の裏側の空間Ｓ１に侵入した虫等が当該ホルダー本体３１の外側へ移動することを阻止する。その結果、前記虫等が表示パネル１５とホルダー３０、詳しくはホルダー３０に保持されたＬＣＤ２４との間に入り込むのを防止することができる。
【００４４】
前記の表示機器２０では、ホルダー本体３１が複数箇所で回路基板２２に係止されるため、当該ホルダー本体３１が回路基板２２に対して安定して固定され、これによりＬＣＤ２４を回路基板２２に安定して固定することができる。しかも、前記複数の被係止部３２に対応する複数の係止用孔２５が回路基板２２に設けられても、ホルダー本体３１の接触面３５が全ての係止用孔２５を少なくとも外側から囲む形状を有することにより、被係止部３２と前記係止用孔２５の周縁部との各隙間の何れかから虫等が回路基板２２の前側の領域Ｓ１に侵入してもホルダー本体３１の外側には出ることができず、従って表示パネル１５とホルダー３０（ＬＣＤ２４）との間に前記虫等が入り込むことができない。
【００４５】
また、ホルダー本体３１の接触面３５が全ての係止用孔２５を内包するようにこれらの係止用孔２５の外側を周回する形状を有することにより、接触面３５が係止用孔２５を個別に外側から囲む構成に比べてホルダー本体３１の構成を簡素化することが可能となる。
【００４６】
さらに、回路基板２２と略平行な姿勢の保持部３３が、その周縁に沿って延び、当該保持部３３から回路基板２２側に向かって突出する周壁３４の端面、即ち接触面３５を回路基板２２の前側面２３ａに密接させた状態で当該回路基板２２に固定されることにより、ホルダー本体３１が回路基板２２に対してより安定して固定される。
【００４７】
被係止部３２が撓み片３７と被係止突起３８とを有する簡素な構成であるにもかかわらず、被係止部３２の先端側を係止用孔２５に前側から挿通させ、撓み片３７が弾性復帰した状態で回路基板２２の裏面２３ｂに被係止突起３８を当接させることにより、ホルダー本体３１を回路基板２２に容易且つ確実に固定することができる。しかも、撓み片３７の撓みのためにその外側面と係止用孔２５の内側面との間に十分な隙間を確保しながらも、この隙間を通しての虫等の侵入を上述の構成により防止できる。
【００４８】
尚、本発明の表示機器及びこれを備えた車載用表示装置は、上記実施形態に限定されるものではなく、本発明の要旨を逸脱しない範囲内において種々変更を加え得ることは勿論である。
【００４９】
例えば、前記の実施形態では、ホルダー本体３１の接触面３５は、全ての係止用孔２５を内包するようにこれらの係止用孔２５の外側を周回する形状を有しているが、各係止用孔２５を少なくとも外側から囲む形状を有していればよい。即ち、接触面３５が各係止用孔２５を個別に外側から囲む形状を有するようにホルダー本体３１が構成されてもよい。このような構成であっても、各被係止部３２と当該被係止部３２が挿通される係止用孔２５を囲む孔周縁部との隙間を通って回路基板２２の裏側から前側へ侵入した虫等をホルダー本体３１が閉じ込めることができる。
【符号の説明】
【００５０】
１５   表示パネル
２０   表示機器
２２   回路基板
２３ａ 前側面
２４   表示部
２５   係止用孔
３０   ホルダー（固定部材）
３１   ホルダー本体（固定部材本体）
３２   被係止部
３５   接触面
Ｓ     内部空間
【図１】
2010234956.tif 000003
【図２】
2010234956.tif 000004
【図３】
2010234956.tif 000005
【図４】
2010234956.tif 000006
【図５】
2010234956.tif 000007
【図６】
2010234956.tif 000008
【図７】
2010234956.tif 000009
【図８】
2010234956.tif 000010
【図９】
2010234956.tif 000011
【図１０】
2010234956.tif 000012
【図１１】
2010234956.tif 000013
【図１２】
2010234956.tif 000014